(57)【要約】      （修正有）【課題】遠投籠釣りにおいて、リールに巻きつけられた道糸の先端にコマセ籠とオモリと釣り針付き仕掛けを結束し、コマセ籠を投入する時、コマセが空中に飛び散らずに投入出来る。【解決手段】釣竿にリールを装着し、該釣竿に間隔をおいて設けられた道糸ガイド（図示せず）を介して、針金あるいはテグス１３は、コマセ飛散防止キャップ３の上部の浮揚手段２とオモリ２３を内蔵したコマセ籠２０の中心部を摺動可能に挿通し、オモリ４５と釣り針４２付き仕掛け４０と連結し、コマセ籠２０にコマセ７０を充填し、コマセ飛散防止キャップ１を被せて投入する際、周囲にコマセ７０が飛散しないで投入出来、着水すると、飛散防止キャップ１は、浮揚手段２によりコマセ籠２０より上方向Ａに浮揚し、オモリ２３を内蔵したコマセ籠２０は、下方に移動し、水中では、コマセ籠２０が現れ、コマセ籠２０のコマセ７０は、水中４８に溶出する。【選択図】図４
2007014317.tif 000002
【特許請求の範囲】
【請求項１】
本発明は、遠投籠釣りに関するもので、釣竿にリールを装着し、道糸を釣竿に間隔をおいて設けられたガイドに挿通し、該道糸の先端と籠釣り仕掛け全体の間に上部に浮揚手段（発砲材などの浮き体あるいは密閉空間）を備えたコマセ飛散防止キャップと該コマセ飛散防止キャップが収納可能な大きさのオモリを内蔵したコマセ籠が介在し、該コマセ飛散防止キャップとコマセ籠は、針金あるいはテグスを中心軸に摺動可能に設けられ、前記コマセ籠にコマセを充填した後、該コマセ籠にコマセ飛散防止キップを被せ、前記仕掛け全体を投入すると、投入の際に該コマセ籠の中のコマセが風や遠心力で周囲に飛び散る事無く投入出来ることを特徴とし、また、水中では当該コマセ飛散防止キャップが浮揚手段（発砲材などの浮き体あるいは密閉空間）により上方に移動し、コマセ籠はオモリが内蔵されているため下方に移動し、該コマセ飛散防止キャップに収納されていたコマセ籠が水中に現れ、コマセ籠に充填されたコマセが水中に溶出することを特徴とする遠投籠用コマセ飛散防止キャップに関する。
【請求項２】
前記飛散防止キャップの上部の浮揚手段である浮き体の中央縦断面形状を紡錘形、球形、直方体などの形状で、密閉空間や発泡材などから成ることを特徴とする、遠投籠釣り用コマセ飛散防止キャップに関する。
【発明の詳細な説明】
【技術分野】
【発明が属する技術分野】
【０００１】  本発明は、釣り場において、コマセ籠にコマセ（集魚用餌以下コマセと言う）を充填し、オモリを装着した釣り針付き仕掛けを投入して釣るいわゆる遠投籠釣りに関するものである。
【背景技術】
【０００２】  従来の一実施例を示す図であり、釣竿１０２に道糸１０５が巻き取られているリール１０１を装着し、釣竿１０２に間隔を持った道糸ガイドに道糸１０５を挿通し、釣竿１０２の先端のガイドを挿通して、該道糸１０５の先端に、ウキ１０４、コマセ籠１０６、幹糸１０８に複数の釣り針付きのサビキ仕掛け１０８（一実施例を示す）の下端部にスナップ付きサルカン１０９でオモリ１１０を装着し、釣り人１０３の前方の水面１００に向って投入する状態を示すもので、コマセ籠１０６から漏れ出たり、風などで飛び散り、釣り人本人１０３に該コマセ１０７が振り掛かり、また周囲の人にも振り掛かるので迷惑をかけていた。【０００３】    また、コマセを硬めにすると、水中でコマセがコマセ籠から溶け出しにくいので、集魚効果が落ち、釣果に悪影響であり、またコマセ籠１０６を引き上げる際、コマセ籠１０６の中のコマセ１０７は、液状となっているため、引き揚げた際、周囲の人にコマセ１０７が飛び散るので、迷惑をかけないようコマセ籠１０６に残留したコマセ１０７を水中で洗い流さなければならなかった。
【発明が解決しようとする課題】
【０００４】    本発明の目的は、コマセ籠付きの仕掛けを投入する際、コマセ籠に充填したコマセが遠心力や風などの影響でコマセ籠の穴や網目から飛び散り、周囲の人に迷惑をかけていた問題点と、コマセが飛び散らないように配合エサなどを混入して硬めにすると、水中でコマセ籠からコマセが溶けにくく、十分な集魚効果が得られず、釣果に悪影響を及ぼす問題点があったので、これらのことを解決することである。
【０００５】    この発明は、上述の問題点を考慮して発明されたものであり、請求項１記載の発明は、遠投する際、コマセを充填したコマセ籠を収納する大きさの浮後揚手段を持つコマセ飛散防止キャップを被せて投入すると、コマセ籠に充填したコマセが周囲に飛散することなく、水面まで着水が可能となり、また、水中から引き揚げる際、コマセ籠にコマセが残留していると、液状となったコマセがコマセ籠から漏れたり、飛散するので、水中で洗い流す必要なく引き揚げられることが主たる目的である。
【課題を解決するための手段】
【０００６】    本発明の遠投籠釣り用コマセ飛散防止キャップは次のものを有している。
道糸の先端部に真直ぐな針金又はテグスの上下端部に結束用環を設け、該針金又はテグスを摺動可能なオモリを内蔵したコマセ籠と該コマセ籠を収納可能な大きさの上部に浮揚手段（発砲材などから成る浮き体）を備えたコマセ飛散防止キャップで構成され、コマセ籠にコマセを充填して、コマセ飛散防止キャップを該コマセ籠に被せ収納し、該コマセ籠下部にサビキや胴付き仕掛け（釣り針付き仕掛け）と該仕掛けの下端部にオモリを連結した仕掛けを遠方の水面に向かって投入する際、コマセ籠は飛散防止キャップに収納されているので、周囲にコマセが飛散せず、着水と同時に水中に落下し、水中においては、前記キャップの上部に浮揚手段が設けられているので、当該コマセ飛散防止キャップは、前記真直ぐな針金又はテグスの上方に移動し、オモリを備えたコマセ籠は、下方に移動するので、該コマセ籠がコマセ飛散防止キャップの中から現れ、コマセが水中に流出分散し、集魚効果が得られることを特徴とする遠投籠釣り用コマセ飛散防止キャップである。
また、引き揚げる際、まだコマセ籠の中にコマセが液状で残留している場合でも、従来のように水中で洗い出す必要がなく引き揚げることが可能になるという目的を実現したコマセ飛散防止キャップである。
【発明の効果】
【０００７】  本発明によれば、前記コマセを充填したコマセ籠にコマセ飛散防止キャップに収納して投入すると、風や遠心力によりコマセが周囲の人に飛び散らず、かつ、仕掛けを巻き上げる際、コマセ籠に残留しているコマセを水中で洗い流してから巻き上げる必要がないと言う効果が得られた。
【発明の実施するための最良の形態】
【０００８】    以下。この発明のコマセ飛散防止キャップの実施形態について、図面を参照しながら具体的に説明する。
【０００９】    この発明のコマセ飛散防止キャップは、図１から図４までに示すものは、市販の従来からある一般的なコマセ流出量を調節可能なコマセ籠２０と一般的なサビキ仕掛け４０を用いた一実施例を示すもので、針金などで形成されたコマセ籠や網目状のコマセ籠および天秤仕掛けなどでも実施は可能であり、図３は、当該コマセ飛散防止キャップ１とコマセ籠２０の詳細な断面図を示すものである。
【００１０】    道糸１２は、リール５５へ巻き取られ、ウキ本体５１の上部にウキトップ５２を設け、該ウキ本体５１の下部に道糸１２を通す挿通環５３からなるウキ５０の道糸挿通環５３に道糸１２を挿通し、絡み防止材５４を介しサルカン１４と結束されている。
【００１１】    真直ぐな針金１３の上端部にはサルカン１４と下端部にはサルカン１５が装着され、該針金１３を中心に軸とする摺動可能なキャップ本体３と該キャップ本体３の上部に浮揚手段（発砲材などの浮き体）２からなるコマセ飛散防止キャップ１の前記浮揚手段２の中心部に前記針金１３を摺動可能な貫通孔１０が設けられ、該貫通孔１０の入口６から出口７を介し、コマセ籠２０が前記針金１３を摺動可能に配設されている。
【１０１２】    前記コマセ飛散防止キャップ１の浮揚手段２の段部８とキャップ本体３が嵌合され当接部９まで挿入固着され、前記コマセ籠２０を収納し易くするためキャップ本体３の下端部広がり部４が形成され、コマセ籠２０をコマセ飛散防止キャップ１に収納し、キャップ本体３の内側５に突起部１８を設けることにより収納時にコマセ籠２０が係止される。
【１０１３】    該コマセ籠２０は、通常使用されている従来からある一般的なコマセ流出量調節可能な筒状の内側容器２１と外側容器２２からなり、円周方向に摺動可能に嵌合され、外側容器２１と内側容器２２の筒部３０、３１の周面にコマセ流出口２４、２６が周設され、コマセ７０を注入する注入口２５、２７が周設され容器角部にギザギザ部３６、３７を周設し、該ぎざぎざ部３６、３７を両手で回動し当接部３８と外側容器端部３９を摺動すると容器内部２８，２９のコマセのコマセ流出量が調節可能となる。
【１０１４】    前記コマセ飛散防止キャップ１とコマセ籠２０の下方にサビキ仕掛け４０がスナップ付サルカン４３で連結されている。
該サビキ仕掛け４０は、幹糸４１に複数本の疑似餌付釣針４２がハリス４７でハリス結束部４６に結束されている。
【１０１６】該サビキ仕掛け４０の下部にはスナップ付サルカン４４でナス形オモリ４５が連結されている。
【１０１７】以上のように構成された一実施例の遠投籠釣り仕掛けで更に詳しく説明すると、図４（ａ）は、投入前の状態を示すもので、空気中４９ではコマセ籠２０は、コマセ飛散防止キャップ１の筒部本体３の中に収納されており、図４（ｂ）は、着水し、水中の状態を示すもので、飛散防止キャップ１は浮揚手段（発泡剤などの浮き体）２が筒部本体３の上方に設けられているので、該コマセ飛散防止キャップ１は、緩衝材１６に当接するまで矢印Ａの方向に浮揚する。
【１０１８】    それと同時に、コマセ籠２０は、ドーナツ状オモリ３３を内蔵しているので、矢印Ｂ方向へ移動し、緩衝材１７に当説するまで下方に移動すると、図４（ａ）の状態であったコマセ籠２０は、水中では現れ、コマセ７０はコマセ流出量調節口２４，２６やコマセ充填口２５、２７から水中４８へ分散流出し集魚効果を得られる。
【１０１９】    図５に示すものは、当該飛散防止キャップ１の浮揚手段の形状を示す、他の実施例を示すもので、図５（ａ）〜（ｆ）は、端部が広がり部４Ａから４Ｆを持つ筒状本体３Ａ〜３Ｆと中心部に挿通孔１０Ａ〜１０Ｆを設けた浮揚手段２Ａ〜２Ｆからなる飛散防止キャップ１Ａから１Ｆの形状を変えたり接着、一体化した他の実施例を示すものである。
【図面の簡単な説明】
【１０２０】
【図１】この発明の、従来からある一般的なコマセ籠とサビキ仕掛けを用いた一実施例を示すものである。
【図２】この発明のコマセ飛散防止キャップ１の詳細図である。
【図３】この発明の飛散防止キャップ１とコマセ籠２０の詳細な中央縦断面図を示すものである。
【図４】（ａ）は、この発明の投入前（空気中）を示すもので、（ｂ）は、水中の状態を示すものである。
【図５】この発明の他の形態を示す実施例を示すコマセ飛散防止キャップの一例である。
【図６】従来の一般的な遠投籠釣り仕掛けでの投入前の状態を示すものである。
【符号の説明】
【１０２１】１：コマセ飛散防止キャップ、２：浮揚手段（フロート）、３：筒部本体、４：広がり部、１０：挿通孔、１２、道糸、１３：針金、２０：コマセ籠全体、２１：内側容器全体、２２、外側容器全体、２３：ドーナツ状オモリ、２４、２６：コマセ流出口、２５、２７：コマセ充填口、３０：内側容器筒部、３１：外側容器筒部、３６：内側容器ギザギザ部、３７：外側容器ギザギザ部、４０：サビキ仕掛け、４１：幹糸、４２：疑似餌付釣針、４５：ナス形オモリ、４６：ハリス結束部、４８：水中、４９：空気中、５０：ウキ全体５１、５５：リール、７０：コマセ、１Ａ〜１Ｆ：コマセ飛散防止キャップ、２Ａ〜２Ｆ：浮揚手段（フロート）、３Ａ〜３Ｆ、筒部、４Ａ〜４Ｆ：広がり部、１０Ａ〜１０Ｆ：挿通孔、Ａ：浮揚方向、Ｂ：落下方向、１００、水面、１０４：ウキ、１０６：コマセ籠、１０７：コマセ、１０８、仕掛け、１１０：ナス形オモリ。
【図１】
2007014317.tif 000003
【図２】
2007014317.tif 000004
【図３】
2007014317.tif 000005
【図４】
2007014317.tif 000006
【図５】
2007014317.tif 000007
【図６】
2007014317.tif 000008